(57)【要約】【課題】シートバックの背裏部に同背裏部の見栄えと利便性とを損なわないように操作部材を設けること。【解決手段】シート前後方向に起倒回転可能とされたシートバック２の背裏部２Ａから延び出し状に設けられる操作レバー１０を備えたリヤシート１であり、操作レバー１０を、背裏部２Ａとの繋ぎ点のまわりに背裏部２Ａに沿った格納位置Ｐ１と、背裏部２Ａから立ち上げた使用位置Ｐ２と、に上げ下げできるようにする第２ヒンジ部１３と、格納位置Ｐ１に格納された操作レバー１０を背裏側から被覆する被覆位置と、操作レバー１０を格納位置Ｐ１から使用位置Ｐ２へと立ち上げる動作により被覆位置から押し開けられて操作レバー１０の動きを逃がす開放位置Ｑ２と、に切換え可能な面状の延出面部２２と、を有する。【選択図】図２
2020097357.tif 000002
【特許請求の範囲】
【請求項１】
シート前後方向に起倒回転可能とされたシートバックの背裏部から延び出し状に設けられる操作部材を備えた乗物用シートであって、
前記操作部材を、前記背裏部との繋ぎ点のまわりに前記背裏部に沿った格納位置と、前記背裏部から立ち上げた使用位置と、に上げ下げできるようにする上げ下げ構造と、
前記格納位置に格納された前記操作部材を背裏側から被覆する被覆位置と、前記操作部材を前記格納位置から前記使用位置へと立ち上げる動作により前記被覆位置から押し開けられて前記操作部材の動きを逃がす開放位置と、に切換え可能な面状の被覆部材と、を有する乗物用シート。
【請求項２】
請求項１に記載の乗物用シートであって、
前記操作部材の前記格納位置が、前記背裏部に形成された凹部内に格納される位置とされ、
前記被覆部材の前記被覆位置が、前記背裏部を被覆する面状の背裏カバーの一般面部と面一状を成す位置とされる乗物用シート。
【請求項３】
請求項１又は請求項２に記載の乗物用シートであって、
更に、前記被覆部材を、前記シートバックの前記背裏部に対して、前記操作部材が前記格納位置のときに延びる方向と略平行状を成す軸回りに前記被覆位置と前記開放位置との間で回転させられる形に連結する第１ヒンジ部と、前記被覆部材を前記被覆位置に弾性的に保持する弾性部材と、を有し、前記被覆部材が、前記操作部材から局所的な押し荷重を受けても面全体が動かされる面剛性のある構造を備える乗物用シート。
【請求項４】
請求項１から請求項３のいずれかに記載の乗物用シートであって、
前記被覆部材が、前記背裏部を被覆する面状の背裏カバーの一般面部から延出する延出面部から成る乗物用シート。
【請求項５】
請求項１から請求項４のいずれかに記載の乗物用シートであって、
前記操作部材が、それ自体の重量では垂れ下がり状には撓まない棒状の部材から成り、かつ、前記上げ下げ構造が、前記操作部材を前記背裏部に対してシート幅方向に延びる軸回りに前記格納位置と前記使用位置との間で回転させられる形に連結する第２ヒンジ部から成る乗物用シート。
【請求項６】
請求項１から請求項５のいずれかに記載の乗物用シートであって、
前記操作部材が、前記シートバックの前記背裏部から延び出す長尺部と、該長尺部の先端に設けられた取っ手と、を有し、前記被覆部材が、前記長尺部の略全体を被覆し、前記取っ手を外部に露出させる乗物用シート。
【請求項７】
請求項１から請求項６のいずれかに記載の乗物用シートであって、
当該乗物用シートが、乗物のバックドアに前記シートバックが面する最後列目のリヤシートとされる乗物用シート。
【発明の詳細な説明】
【技術分野】
【０００１】
本発明は、乗物用シートに関する。詳しくは、シート前後方向に起倒回転可能とされたシートバックの背裏部から延び出し状に設けられる操作部材を備えた乗物用シートに関する。
【背景技術】
【０００２】
従来、自動車のリヤシートにおいて、シートバックの背裏部に、シートバックを移動操作するための操作レバーが設けられた構成が知られている（特許文献１）。上記操作レバーは、シートバックの背裏上部から繰り出されたストラップと、同ストラップの先端に取り付けられた取っ手と、によって構成されている。上記操作レバーは、シートバックの起立状態では、使用者がバックドアを開けた車両後方側に立った位置から、シートバックの背裏部上に掛け止められた取っ手に簡便に手を届かせてその操作を行えるようになっている。また、上記操作レバーは、シートバックが前に倒された状態においても、使用者が手を伸ばして取っ手を掴むことでその操作を行えるようになっている。
【先行技術文献】
【特許文献】
【０００３】
【特許文献１】特開２０１１−１２１５００号公報
【発明の概要】
【発明が解決しようとする課題】
【０００４】
上記従来技術では、操作レバーがシートバックの背裏部に丸見えの状態で設けられている。そのため、シートバックの背裏部の見栄えが損なわれやすい。また、シートバックを前に倒してラゲージフロアとして使用する際に、操作レバーの形状による段差が形成されやすく利便性が損なわれやすい。本発明は、上記問題を解決するものとして創案されたものであって、本発明が解決しようとする課題は、シートバックの背裏部に同背裏部の見栄えと利便性とを損なわないように操作部材を設けることにある。
【課題を解決するための手段】
【０００５】
上記課題を解決するために、本発明の乗物用シートは次の手段をとる。
【０００６】
すなわち、本発明の乗物用シートは、シート前後方向に起倒回転可能とされたシートバックの背裏部から延び出し状に設けられる操作部材を備えた乗物用シートである。この乗物用シートは、操作部材を、背裏部との繋ぎ点のまわりに背裏部に沿った格納位置と、背裏部から立ち上げた使用位置と、に上げ下げできるようにする上げ下げ構造と、格納位置に格納された操作部材を背裏側から被覆する被覆位置と、操作部材を格納位置から使用位置へと立ち上げる動作により被覆位置から押し開けられて操作部材の動きを逃がす開放位置と、に切換え可能な面状の被覆部材と、を有する。
【０００７】
上記構成によれば、操作部材が格納位置にあるときに被覆部材によって面状に被覆されるようになっていることで、シートバックの背裏部に操作部材があっても段差が形成されにくくなる。また、シートバックの背裏部の見栄えが損なわれにくい。なおかつ、被覆部材が操作部材の立ち上げによってその動きを逃がす形に押し開かれるようになっていることで、操作部材の使い勝手が阻害されにくい。このように、シートバックの背裏部に同背裏部の見栄えと利便性とを損なわないように操作部材を設けることができる。
【０００８】
また、本発明の乗物用シートは、更に次のように構成されていてもよい。操作部材の格納位置が、背裏部に形成された凹部内に格納される位置とされる。そして、被覆部材の被覆位置が、背裏部を被覆する面状の背裏カバーの一般面部と面一状を成す位置とされる。
【０００９】
上記構成によれば、操作部材が格納位置にあるときに、同操作部材を、シートバックの背裏部を被覆する背裏カバーの一般面部と面一状の形をとる被覆部材によって、より見栄えと利便性とを損ないにくい形に被覆することができる。
【００１０】
また、本発明の乗物用シートは、更に次のように構成されていてもよい。乗物用シートが、更に、被覆部材を、シートバックの背裏部に対して、操作部材が格納位置のときに延びる方向と略平行状を成す軸回りに被覆位置と開放位置との間で回転させられる形に連結する第１ヒンジ部と、被覆部材を被覆位置に弾性的に保持する弾性部材と、を有する。被覆部材が、操作部材から局所的な押し荷重を受けても面全体が動かされる面剛性のある構造を備える。
【００１１】
上記構成によれば、操作部材を使用位置と格納位置との間で上げ下げする動きに合わせて、被覆部材を開放位置と被覆位置とにスムーズに追従動作させることができる。
【００１２】
また、本発明の乗物用シートは、更に次のように構成されていてもよい。被覆部材が、背裏部を被覆する面状の背裏カバーの一般面部から延出する延出面部から成る。
【００１３】
上記構成によれば、被覆部材を背裏カバーの構成を利用して合理的に形成することができると共に、背裏部の見栄えと利便性とをより損ないにくくすることができる。
【００１４】
また、本発明の乗物用シートは、更に次のように構成されていてもよい。操作部材が、それ自体の重量では垂れ下がり状には撓まない棒状の部材から成る。そして、上げ下げ構造が、操作部材を背裏部に対してシート幅方向に延びる軸回りに格納位置と使用位置との間で回転させられる形に連結する第２ヒンジ部から成る。
【００１５】
上記構成によれば、操作部材を、あっちこっちふらつかせることなく、格納位置と使用位置との間でのみ動く出し入れのしやすい構成とすることができる。
【００１６】
また、本発明の乗物用シートは、更に次のように構成されていてもよい。操作部材が、シートバックの背裏部から延び出す長尺部と、長尺部の先端に設けられた取っ手と、を有し、被覆部材が、長尺部の略全体を被覆し、取っ手を外部に露出させる。
【００１７】
上記構成によれば、操作部材を被覆部材によって大部分を見栄え良く被覆することができるにもかかわらず、操作部材を格納位置から簡便に引き出すことができる。
【００１８】
また、本発明の乗物用シートは、更に次のように構成されていてもよい。乗物用シートが、乗物のバックドアにシートバックが面する最後列目のリヤシートとされる。
【００１９】
上記構成によれば、使用者がバックドアを開けた乗物後方側に立った位置から操作部材を掴んで操作するようなリヤシートに対して、特に効果的にシートバックの背裏部の見栄えと利便性とが損なわれないようにすることができる。
【図面の簡単な説明】
【００２０】
【図１】第１の実施形態に係る乗物用シートの概略構造を表した斜視図である。
【図２】操作部材を格納位置から引き上げた状態を表した斜視図である。
【図３】シートバックを起立位置へと起こし上げた状態を表した斜視図である。
【図４】操作部材を格納位置へと戻した状態を表した斜視図である。
【図５】図２のＶ−Ｖ線断面図である。
【図６】操作部材のシートバックに対する連結構造を表した分解斜視図である。
【図７】図４のＶＩＩ−ＶＩＩ線断面図である。
【発明を実施するための形態】
【００２１】
以下に、本発明を実施するための形態について、図面を用いて説明する。
【００２２】
（第１の実施形態）
始めに、第１の実施形態に係るリヤシート１（乗物用シート）の構成について、図１〜図７を用いて説明する。なお、以下の説明において、前後上下左右等の各方向を示す場合には、各図中に示されたそれぞれの方向を指すものとする。また、「シート前後方向」と示す場合には、後述するリヤシート１の前後方向を指し、「シート幅方向」と示す場合には、リヤシート１の左右方向を指すものとする。
【００２３】
《リヤシート１の概略構成について》
図１に示すように、本実施形態に係るリヤシート１は、３列シートを備えた自動車の最後列目の右側座席として構成されている。同リヤシート１の左隣には、同列の左側座席を構成するリヤシート１’が隣接して設けられている。上記右側のリヤシート１と左側のリヤシート１’とは、互いに左右対称となる略同一の構成とされている。したがって、以下では、これらを代表して、右側のリヤシート１の構成について詳しく説明し、左側のリヤシート１’の構成については詳しい説明を省略することとする。
【００２４】
上記リヤシート１は、着座乗員の背凭れ部となるシートバック２と、着座部となる不図示のシートクッションと、頭凭れ部となるヘッドレスト３と、を備える。上記シートバック２は、その左右両サイドの下端部が、それぞれ、不図示の連結ピンを介して、シートクッションの左右両サイドの後端部に回転可能にピン接合されている。上記連結により、シートバック２は、上記不図示のシートクッションに対して、背凭れとして使用可能な起立位置Ｒ１と、同起立位置Ｒ１から前倒しされて後側のラゲージフロアＬと面一状となる前倒れ位置Ｒ２と、の間でシート前後方向に起倒回転することのできる構成とされている。
【００２５】
上記シートバック２は、その背凭れとして使用される起立位置Ｒ１にある時には、その右肩口部に設けられたロック部２Ｌが車両の右側壁部に設けられたストライカＳにロックされることで位置固定される。同固定により、シートバック２は、着座乗員の背凭れ荷重を定位置で受け止められる状態とされる。また、上記シートバック２は、その右肩口部に設けられた不図示の解除ボタンを操作することにより、上記ストライカＳに対するロック部２Ｌのロックが解除される。同解除により、シートバック２は、上記起立位置Ｒ１での固定状態が解かれて、使用者により上記前倒れ位置Ｒ２へと倒し込むことが可能となる。
【００２６】
上記不図示の解除ボタンを解除する操作は、使用者が、図示しない車両のバックドアを開けた車両後方側に立った位置から不図示の解除ボタンに手を伸ばして行うことができる。そして、上記解除操作後に、使用者がシートバック２を前に押し込むように力を掛けることにより、シートバック２が上記前倒れ位置Ｒ２へと倒し込まれる。同倒れ込みにより、シートバック２は、その背裏部２Ａが、後側のラゲージフロアＬと面一状の上面を成す状態となる。それにより、シートバック２の背裏部２Ａが、ラゲージフロアＬと同じように使用することのできる状態となり、ラゲージフロアＬの実質的な広さを拡張することができる。
【００２７】
上記シートバック２の背裏部２Ａには、同シートバック２を前倒れ位置Ｒ２から起こし上げる際の握りとして使用することが可能な長尺状の操作レバー１０が設けられている。上記操作レバー１０は、シートバック２の背裏部２Ａの左側縁部に沿って形成された縦長状の凹部２Ｅ内に格納されて設けられている。上記操作レバー１０は、その縦向きに伸びた先の端部が、上記背裏部２Ａの凹部２Ｅ内の上部箇所に対して、シート幅方向に軸を延ばす第２ヒンジ部１３によって、起倒回転可能なようにヒンジ連結されている。ここで、上記操作レバー１０が、本発明の「操作部材」に相当する。また、第２ヒンジ部１３が、本発明の「上げ下げ構造」に相当する。
【００２８】
上記連結により、操作レバー１０は、図２に示すように、上記背裏部２Ａに対して、凹部２Ｅ内に格納された格納位置Ｐ１と、同格納位置Ｐ１から下部側を引き出す形で立ち上げた使用位置Ｐ２と、に上げ下げする位置切り換えが行えるようになっている。したがって、上記シートバック２を前倒れ位置Ｒ２から起こし上げる際には、使用者が、上記操作レバー１０の取っ手１２を掴んで上側へ引き出すことで、同操作レバー１０を使用位置Ｐ２、すなわち使用者が操作しやすい高い位置へと持ち上げることができる。
【００２９】
そして、上記使用者が、上記掴んだ操作レバー１０の取っ手１２をそのまま後側へ引張ることで、図３に示すように、上記操作レバー１０を介してシートバック２を前倒れ位置Ｒ２から起立位置Ｒ１へと起こし上げることができる。そして、同起こし上げによって、シートバック２の右肩口に設けられたロック部２Ｌが、車両の右側壁部に設けられたストライカＳに前側から押し込まれてロックされる。
【００３０】
それにより、上記シートバック２が、上記ロックされた起立位置Ｒ１にて背凭れ角度を固定された状態となる。上記操作レバー１０を介したシートバック２の起こし上げ操作は、操作レバー１０がシートバック２の上部箇所（下端側の回転中心から遠い箇所）に連結されていることで、比較的軽い力で行えるようになっている。
【００３１】
そして、上記シートバック２の起こし上げの後、使用者が上記操作レバー１０の引き上げた操作をやめて操作レバー１０を下ろすことにより、図４に示すように、上記操作レバー１０が上記第２ヒンジ部１３に設けられた第２スプリング１３Ｃの付勢力によって凹部２Ｅ内の初期の格納位置Ｐ１へと戻される。上記操作レバー１０は、図１で前述した、シートバック２を起立位置Ｒ１から前倒れ位置Ｒ２へと倒し込む操作の際にも、倒れ込みの動きをコントロールするための握りとして使用することができる。
【００３２】
具体的には、上記シートバック２を起立位置Ｒ１から前倒しする際に、使用者が、上記と同様に、操作レバー１０の取っ手１２を掴んで後側へ引き出すことで、同操作レバー１０を使用位置Ｐ２、すなわち使用者が操作しやすい高い位置へと持ち上げることができる。そして、上記使用者が、シートバック２の右肩口部に設けられた不図示の解除ボタンを解除操作した後、上記掴んだ操作レバー１０の取っ手１２をそのまま前側へと押し込むことで、上記操作レバー１０を介してシートバック２が前に倒される動きをコントロールしながら前倒れ位置Ｒ２へと落とし込むことができる。
【００３３】
その際も、上記操作レバー１０を介したシートバック２の倒し込み操作は、操作レバー１０がシートバック２の上部箇所（下端側の回転中心から遠い箇所）に連結されていることで、比較的軽い力で行えるようになっている。そして、上記シートバック２を前倒れさせた後、使用者が上記操作レバー１０の操作をやめて操作レバー１０を下ろすことにより、操作レバー１０が前出の第２ヒンジ部１３に設けられた第２スプリング１３Ｃの付勢力によって凹部２Ｅ内の初期の格納位置Ｐ１へと戻される。
【００３４】
《背裏カバー２０の構成について》
上記シートバック２の背裏部２Ａには、同背裏部２Ａの略全域を被覆する面状の背裏カバー２０が張設されている。同背裏カバー２０は、上記背裏部２Ａの凹部２Ｅの形成領域を除く一般領域を被覆する一般面部２１と、同一般面部２１の左側縁部から延出して凹部２Ｅの形成領域を被覆する延出面部２２と、をシームレスに有する構成とされる。具体的には、上記背裏カバー２０は、図５に示すように、板状の基材２０Ａと、同基材２０Ａの裏面側に貼着されたカーペット２０Ｂと、の２層構造から成る。ここで、延出面部２２が、本発明の「被覆部材」に相当する。
【００３５】
上記カーペット２０Ｂは、上記背裏カバー２０の一般面部２１と延出面部２２とを１枚で構成するシームレスな構成とされる。一方、基材２０Ａは、上記一般面部２１と延出面部２２とに分かれた２枚で構成され、これら一般面部２１と延出面部２２との境界部分には設けられない構成とされる。上記構成により、背裏カバー２０は、上記カーペット２０Ｂの一般面部２１と延出面部２２とを繋ぐ境界部分をインテグラルヒンジとする第１ヒンジ部２３として、延出面部２２を一般面部２１に対して起倒回転させられるようになっている。
【００３６】
上記第１ヒンジ部２３を構成するカーペット２０Ｂの一般面部２１と延出面部２２との間の境界部分は、操作レバー１０が凹部２Ｅ内の格納位置Ｐ１にある時の長尺部１１が延びる方向（シートバック２の長さ方向）と略平行状に延びる形状とされている。それにより、背裏カバー２０は、上記第１ヒンジ部２３を中心に、延出面部２２を一般面部２１と面一状に凹部２Ｅを被覆する被覆位置Ｑ１と、同被覆位置Ｑ１から起こし上げられて凹部２Ｅを開放する開放位置Ｑ２と、に切り換えられるようになっている。
【００３７】
上記延出面部２２と一般面部２１との間には、トーションスプリングから成る第１スプリング２３Ａが掛着されている。それにより、延出面部２２には、常時、第１ヒンジ部２３を中心に被覆位置Ｑ１へと倒し込まれる方向の弾性的な付勢力が掛けられている。ここで、第１スプリング２３Ａが、本発明の「弾性部材」に相当する。
【００３８】
上記付勢により、背裏カバー２０は、図１に示すように、操作レバー１０がシートバック２の凹部２Ｅ内の格納位置Ｐ１にある時には、上記延出面部２２が凹部２Ｅを被覆した被覆位置Ｑ１に閉じられた状態として保持されるようになっている。また、上記背裏カバー２０は、図２に示すように、上記操作レバー１０が凹部２Ｅ内の格納位置Ｐ１から使用位置Ｐ２へと引き出されることにより、その動きに押されて、上記の付勢に抗して開放位置Ｑ２へと押し動かされるようになっている。
【００３９】
このように、背裏カバー２０は、操作レバー１０の格納時に延出面部２２が凹部２Ｅを被覆する構成であっても、操作レバー１０が引き出される動きに合わせて、延出面部２２を開放位置Ｑ２へと押し動かすことができ、操作レバー１０の動きを阻害しないようになっている。また、背裏カバー２０は、図４に示すように、上記操作レバー１０が使用位置Ｐ２から格納位置Ｐ１へと戻されることにより、その動きに合わせて、上記の付勢により凹部２Ｅを被覆する被覆位置Ｑ１へと戻されるようになっている。
【００４０】
したがって、使用者が背裏カバー２０の延出面部２２を何ら操作しなくても、操作レバー１０を凹部２Ｅから引き出したり戻したりする操作だけで、この動きに合わせて延出面部２２を簡便に開放位置Ｑ２と被覆位置Ｑ１とに移動させることができる。
【００４１】
詳しくは、上記延出面部２２は、カーペット２０Ｂに基材２０Ａが貼着された構造とされていることにより、操作レバー１０から局所的な押し荷重を受けても面全体が動かされる面剛性のある構造とされる。それにより、延出面部２２は、操作レバー１０が凹部２Ｅ内の格納位置Ｐ１から使用位置Ｐ２へと引き出される動きによって部分的に押し出される力を受けたとしても、スムーズに形状全体を広く開かせる形に切り換えられるようになっている。
【００４２】
上記背裏カバー２０の延出面部２２は、詳しくは、図１に示すように、シートバック２の凹部２Ｅの全域を被覆するのではなく、凹部２Ｅの下端側領域のみを外部に露出させる形に形成されている。それにより、背裏カバー２０の延出面部２２は、上記凹部２Ｅ内に操作レバー１０が格納された際に、凹部２Ｅの下端側領域に配置される操作レバー１０の取っ手１２のみを外部に露出させるようになっている。したがって、上記背裏カバー２０の延出面部２２が凹部２Ｅを被覆した被覆位置Ｑ１にある状態であっても、使用者が上記外部に露出する操作レバー１０の取っ手１２に簡便に手を掛けて操作レバー１０を引き出すことができる。
【００４３】
《操作レバー１０の構成について》
操作レバー１０は、図６に示すように、長尺な平板形状の長尺部１１と、同長尺部１１の一端部（図示手前側の端部）に形成された横長リング形状の取っ手１２と、を有する棒状部材から成る。上記操作レバー１０は、その長尺部１１の他端部（図示奥側の端部）が、シート幅方向に軸を向ける第２ヒンジ部１３によって、シートバック２の骨格を成すバックフレーム２Ｆの左枠部分に起倒回転可能なようにヒンジ連結されている。
【００４４】
図５に示すように、上記バックフレーム２Ｆは、シートバックの外周縁部に沿って四角枠状の形に組まれたパイプフレームにより構成されている。上記バックフレーム２Ｆの前部には、着座乗員の背凭れ荷重を弾性的に受け止める発泡ウレタン製のバックパッド２Ｐが略全域に亘って前側から面状に覆い被さる形に組み付けられている。そして、更にその表面側には、上記バックパッド２Ｐを略全域に亘って包む形に被覆するファブリック製のバックカバー２Ｃが張設されている。
【００４５】
図６に示すように、上記第２ヒンジ部１３は、具体的には、操作レバー１０の長尺部１１の他端部に左側から通される段付きビス１３Ａと、上記長尺部１１の他端部に右側から通されて上記段付きビス１３Ａを内部に通す樹脂ブッシュ１３Ｂと、を有する。上記段付きビス１３Ａは、その操作レバー１０と樹脂ブッシュ１３Ｂとに左側から通された先の端部が、上記バックフレーム２Ｆの左枠部分に溶着されたＬ字板状のブラケット２Ｂの側板部分に通されている。そして、上記段付きビス１３Ａは、上記ブラケット２Ｂの右側面に溶着されたウェルドナット２Ｎに螺合されて締結されている（図７参照）。
【００４６】
上記締結により、操作レバー１０が、上記通された段付きビス１３Ａ及び樹脂ブッシュ１３Ｂを介して、バックフレーム２Ｆの左枠部分に対して、回転可能に軸支された状態とされている。上記操作レバー１０とブラケット２Ｂとの間には、トーションスプリングから成る第２スプリング１３Ｃが掛着されている。それにより、操作レバー１０には、常時、上記第２ヒンジ部１３を中心に図４に示すように凹部２Ｅ内の格納位置Ｐ１へと倒し込まれる方向の弾性的な付勢力が掛けられている。
【００４７】
上記付勢により、操作レバー１０は、その自由状態時には、上記凹部２Ｅ内に格納された格納位置Ｐ１にて保持されるようになっている。具体的には、上記操作レバー１０は、上記付勢により凹部２Ｅ内の底面上に押し当てられて係止された状態として保持されるようになっている。また、上記操作レバー１０は、図２に示すように、その取っ手１２が使用者により掴まれて凹部２Ｅ内から引き出されるように操作されることにより、上記の付勢に抗して第２ヒンジ部１３を中心に使用位置Ｐ２へと引き出されるようになっている。
【００４８】
《まとめ》
以上をまとめると、第１の実施形態に係るリヤシート１は次のような構成となっている。すなわち、シート前後方向に起倒回転可能とされたシートバック（２）の背裏部（２Ａ）から延び出し状に設けられる操作部材（１０）を備えた乗物用シート（１）である。
【００４９】
この乗物用シート（１）は、操作部材（１０）を、背裏部（２Ａ）との繋ぎ点のまわりに背裏部（２Ａ）に沿った格納位置（Ｐ１）と、背裏部（２Ａ）から立ち上げた使用位置（Ｐ２）と、に上げ下げできるようにする上げ下げ構造（１３）と、格納位置（Ｐ１）に格納された操作部材（１０）を背裏側から被覆する被覆位置（Ｑ１）と、操作部材（１０）を格納位置（Ｐ１）から使用位置（Ｐ２）へと立ち上げる動作により被覆位置（Ｑ１）から押し開けられて操作部材（１０）の動きを逃がす開放位置（Ｑ２）と、に切換え可能な面状の被覆部材（２２）と、を有する。
【００５０】
上記構成によれば、操作部材（１０）が格納位置（Ｐ１）にあるときに被覆部材（２２）によって面状に被覆されるようになっていることで、シートバック（２）の背裏部（２Ａ）に操作部材（１０）があっても段差が形成されにくくなる。また、シートバック（２）の背裏部（２Ａ）の見栄えが損なわれにくい。なおかつ、被覆部材（２２）が操作部材（１０）の立ち上げによってその動きを逃がす形に押し開かれるようになっていることで、操作部材（１０）の使い勝手が阻害されにくい。このように、シートバック（２）の背裏部（２Ａ）に同背裏部（２Ａ）の見栄えと利便性とを損なわないように操作部材（１０）を設けることができる。
【００５１】
また、操作部材（１０）の格納位置（Ｐ１）が、シートバック（２）の背裏部（２Ａ）に形成された凹部（２Ｅ）内に格納される位置とされる。そして、被覆部材（２２）の被覆位置（Ｑ１）が、シートバック（２）の背裏部（２Ａ）を被覆する面状の背裏カバー（２０）の一般面部（２１）と面一状を成す位置とされる。
【００５２】
上記構成によれば、操作部材（１０）が格納位置（Ｐ１）にあるときに、同操作部材（１０）を、シートバック（２）の背裏部（２Ａ）を被覆する背裏カバー（２０）の一般面部（２１）と面一状の形をとる被覆部材（２２）によって、より見栄えと利便性とを損ないにくい形に被覆することができる。
【００５３】
また、乗物用シート（１）が、更に、被覆部材（２２）を、シートバック（２）の背裏部（２Ａ）に対して、操作部材（１０）が格納位置（Ｐ１）のときに延びる方向と略平行状を成す軸回りに被覆位置（Ｑ１）と開放位置（Ｑ２）との間で回転させられる形に連結する第１ヒンジ部（２３）と、被覆部材（２２）を被覆位置（Ｑ１）に弾性的に保持する弾性部材（２３Ａ）と、を有する。被覆部材（２２）が、操作部材（１０）から局所的な押し荷重を受けても面全体が動かされる面剛性のある構造を備える。
【００５４】
上記構成によれば、操作部材（１０）を使用位置（Ｐ２）と格納位置（Ｐ１）との間で上げ下げする動きに合わせて、被覆部材（２２）を開放位置（Ｑ２）と被覆位置（Ｑ１）とにスムーズに追従動作させることができる。
【００５５】
また、被覆部材（２２）が、シートバック（２）の背裏部（２Ａ）を被覆する面状の背裏カバー（２０）の一般面部（２１）から延出する延出面部（２２）から成る。上記構成によれば、被覆部材（２２）を背裏カバー（２０）の構成を利用して合理的に形成することができると共に、背裏部（２Ａ）の見栄えと利便性とをより損ないにくくすることができる。
【００５６】
また、操作部材（１０）が、それ自体の重量では垂れ下がり状には撓まない棒状の部材から成る。そして、上げ下げ構造（１３）が、操作部材（１０）をシートバック（２）の背裏部（２Ａ）に対してシート幅方向に延びる軸回りに格納位置（Ｐ１）と使用位置（Ｐ２）との間で回転させられる形に連結する第２ヒンジ部（１３）から成る。上記構成によれば、操作部材（１０）を、あっちこっちふらつかせることなく、格納位置（Ｐ１）と使用位置（Ｐ２）との間でのみ動く出し入れのしやすい構成とすることができる。
【００５７】
また、操作部材（１０）が、シートバック（２）の背裏部（２Ａ）から延び出す長尺部（１１）と、長尺部（１１）の先端に設けられた取っ手（１２）と、を有し、被覆部材（２２）が、長尺部（１１）の略全体を被覆し、取っ手（１２）を外部に露出させる。上記構成によれば、操作部材（１０）を被覆部材（２２）によって大部分を見栄え良く被覆することができるにもかかわらず、操作部材（１０）を格納位置（Ｐ１）から簡便に引き出すことができる。
【００５８】
また、乗物用シート（１）が、乗物のバックドアにシートバック（２）が面する最後列目のリヤシート（１）とされる。上記構成によれば、使用者がバックドアを開けた乗物後方側に立った位置から操作部材（１０）を掴んで操作するようなリヤシート（１）に対して、特に効果的にシートバック（２）の背裏部（２Ａ）の見栄えと利便性とが損なわれないようにすることができる。
【００５９】
《その他の実施形態について》
以上、本発明の実施形態を１つの実施形態を用いて説明したが、本発明は上記実施形態のほか、以下に示す様々な形態で実施することができるものである。
【００６０】
１．本発明の乗物用シートの構成は、自動車用のシートの他、鉄道等の自動車以外の車両に適用されるシートや、航空機、船舶等の様々な乗物用に供されるシートにも広く適用することができるものである。また、乗物用シートは、複数列のシートを備えた乗物における最後列目以外のシートであっても良い。
【００６１】
２．操作部材は、ストラップのようなそれ自体の重量により垂れ下がり状に撓むフレキシブルな部材から成るものであっても良い。また、操作部材は、シートバックの背裏部から張り出す形で同背裏部に沿った格納位置に格納される構成であっても良い。その際、操作部材は、そのシートバックの背裏部からの張り出しが少ない薄肉状の形から成るものであることが好ましい。また、操作部材は、取っ手のない寸胴な部材から成るものであっても良い。
【００６２】
また、操作部材は、ストレートに延びる形状から成るものの他、一部が折れ曲がっていたり湾曲していたりする形状から成るものであっても良い。また、操作部材は、シートバックのシート幅方向の中央領域等の端領域以外の箇所に設けられるものであっても良い。
【００６３】
３．被覆部材は、シートバックの背裏部を被覆する面状の背裏カバーとは別体の部材から成るものであっても良い。また、被覆部材は、格納位置に格納された操作部材を、必ずしも背裏カバーの一般面部と面一状に被覆するものでなくても良い。また、被覆部材は、操作部材に取っ手があるか否かにかかわらず、格納位置に格納された操作部材の全体を被覆する構成であっても良い。但し、その場合には、使用者が操作部材を掴むために手を差し込めるようにする開口を別途設けないと、操作部材を掴むために操作部材を手動で開く別の操作が必要となることが考えられる。
【００６４】
４．被覆部材をシートバックの背裏部に対して被覆位置と開放位置との間で回転させられる形に連結する第１ヒンジ部は、操作部材が格納位置のときに延びる方向と略直交状を成す軸回りに回転させられる形に連結するものであっても良い。
【００６５】
５．被覆部材を被覆位置に弾性的に保持する弾性部材は、テンションスプリング等のトーションスプリング以外のスプリングの他、ゴム等のスプリング以外の弾性部材から成るものであっても良い。また、弾性部材は、被覆部材とシートバックの背裏部を被覆する背裏カバーとの間に可撓性の面状部材を跨らせる形に設けることで構成しても良い。また、弾性部材は、被覆部材自体の弾性を利用した弾性構造から成るものであっても良い。
【００６６】
６．操作部材は、特開２０１７−１９３４４号公報等の文献に開示された構成のように、折り畳まれたシート全体をフロア下の段差に落とし込んだりそこから引き上げたりするための握りとして設けられるものであっても良い。また、操作部材は、シート全体をシート前後方向にスライド操作するための握りとして設けられるものであっても良い。
【００６７】
また、操作部材は、特開２００８−１５５８７３号公報等の文献に開示された構成のように、その引張り操作によって、シートに内蔵されたロック機構を解除する解除操作部材として構成されたものであっても良い。または、上記操作部材は、上記解除操作部材と、シートバック又はシート全体を移動操作するための握りと、を兼ねる部材として構成されたものであっても良い。
【符号の説明】
【００６８】
１      リヤシート（乗物用シート）
１’    リヤシート
２      シートバック
２Ａ    背裏部
２Ｂ    ブラケット
２Ｎ    ウェルドナット
２Ｆ    バックフレーム
２Ｐ    バックパッド
２Ｃ    バックカバー
２Ｅ    凹部
２Ｌ    ロック部
３      ヘッドレスト
１０    操作レバー（操作部材）
１１    長尺部
１２    取っ手
１３    第２ヒンジ部（上げ下げ構造）
１３Ａ  段付きビス
１３Ｂ  樹脂ブッシュ
１３Ｃ  第２スプリング
２０    背裏カバー
２０Ａ  基材
２０Ｂ  カーペット
２１    一般面部
２２    延出面部（被覆部材）
２３    第１ヒンジ部
２３Ａ  第１スプリング（弾性部材）
Ｐ１    格納位置
Ｐ２    使用位置
Ｑ１    被覆位置
Ｑ２    開放位置
Ｒ１    起立位置
Ｒ２    前倒れ位置
Ｌ      ラゲージフロア
Ｓ      ストライカ
【図１】
2020097357.tif 000003
【図２】
2020097357.tif 000004
【図３】
2020097357.tif 000005
【図４】
2020097357.tif 000006
【図５】
2020097357.tif 000007
【図６】
2020097357.tif 000008
【図７】
2020097357.tif 000009